(57)【要約】  本発明は、メカニカル継手（１０）のための接続要素（１）と、メカニカル継手（１０）とに関する。接続要素（１）は基部（２）と、基部（２）から突出する接続部（３）とを備える。接続部（３）は、突出部（４）と、突出部（４）から基部（２）の第１端部（２１）の方向へ延在する当接部（５）であって、間隙（６）が当接部（５）と基部（２）の前面（２３）との間に形成され、間隙（６）の底部（６１）が突出部（４）によって形成されている当接部（５）を備え、当接部（５）は、間隙（６）の領域における基部（２）の前面（２３）の部分に平行である前面（５１）と、基部（２）の前面（２３）に面する背面（５２）とを有する。
2021507194.tif 000002
【特許請求の範囲】
【請求項１】
メカニカル継手（１０）のための接続要素（１）であって、
前記接続要素（１）は、
第１端部（２１）、第２端部（２２）、及び前記第１端部（２１）と前記第２端部（２２）との間に延在する前面（２３）を有する基部（２）と、
前記基部（２）から突出する接続部（３）と
を備え、
前記接続部（３）は、
前記基部（２）の前記前面（２３）から突出するように配置された突出部（４）と、
前記突出部（４）から前記基部（２）の前記第１端部（２１）の方向へ延在する当接部（５）であって、間隙（６）が前記当接部（５）と前記基部（２）の前記前面（２３）との間に形成され、前記間隙（６）の底部（６１）が前記突出部（４）によって形成されており、前記間隙（６）の領域における前記基部（２）の前記前面（２３）の部分に平行である前面（５１）と、前記基部（２）の前記前面（２３）に面する背面（５２）とを有し、前記前面（５１）と前記背面（５２）との間に前記前面（５１）から前記背面（５２）へと延在する端面（５３）をさらに有する前記当接部（５）と
を備える
ことを特徴とする接続要素（１）。
【請求項２】
前記当接部（５）の前記背面（５２）と前記基部（２）の前記前面（２３）との間の距離は、前記間隙（６）の前記底部（６１）に向かって同一である又は減少するように配置されていることを特徴とする、請求項１に記載の接続要素（１）。
【請求項３】
前記当接部（５）の前記端面（５３）は第１形状を有し、前記間隙（６）の前記底部（６１）は前記第１形状に対応する対向形状である第２形状を有することを特徴とする、請求項１又は２に記載の接続要素（１）。
【請求項４】
前記接続部（３）は遠位端（３１）と近位端（３２）とを有し、前記遠位端（３１）は前記基部（２）の前記第１端部（２１）の方に向いており、前記近位端（３２）は前記基部（２）の前記第２端部（２２）の方に向いており、前記当接部（５）の前記端面（５３）は前記接続部（３）の前記遠位端（３１）を形成し、
前記接続要素（１）は、前記接続部（３）の前記遠位端（３１）と前記基部（２）の前記第１端部（２１）との間に自由部分を有し、前記自由部分は、前記近位端（３２）と前記遠位端（３１）との間の接続部（３）の長さ（ｂ）よりも長い長さ（ａ）を有する
ことを特徴とする、請求項１から３のいずれか１つに記載の接続要素（１）。
【請求項５】
前記基部（２）は、前記第１端部（２１）と前記第２端部（２２）との間に前記前面（２３）と反対の位置に延在する背面（２４）、及び前記前面（２３）と前記背面（２４）との間で前記第１端（２１）と前記第２端（２２）との間に延在する第１及び第２側面（２５，２６）を有し、前記接続要素（１）は、停止面を提供する停止要素（８，８０）をさらに備え、前記停止面は前記基部（２）の前記前面（２３）に対して横方向に延在するように、前記基部（２）の前記前面（２３）の外側に配置されていることを特徴とする、請求項１から４のいずれか１つに記載の接続要素（１）。
【請求項６】
前記停止要素（８，８０）は、一体的な停止要素（８）として前記接続要素（１）に配置され、前記一体的な停止要素（８）は、少なくとも１つの前記第１及び第２側面（２５，２６）に設けられている、
又は、前記停止要素（８，８０）は、一体的な停止要素（８）として前記接続要素（１）に配置され、前記一体的な停止要素（８）は、前記基部（２）の前記第１端部（２１）及び／又は前記基部（２）の前記第２端部（２２）に設けられている
ことを特徴とする、請求項５に記載の接続要素（１）。
【請求項７】
前記停止要素（８０）が別体の停止要素（８０）として設けられており、
前記別体の停止要素（８０）は、
第１端部（８３）、第２端部（８４）、及び前記第１端部（８３）と前記第２端部（８４）との間に延在する前面（８５）を有する基板（８２）と、
前記基板（８２）から突出し、前記基板（８２）の前記前面（８５）から離れる方向に延在し、前記前面（２３）と前記背面（２４）との間の前記基部（２）の高さ（ｄ）より高い高さ（ｃ）を有する少なくとも１つの側壁（８６）と
を備え、
前記少なくとも１つの側壁（８６）が前記停止面（８１）を提供するために配置されるように、前記基部（２）の前記背面（２４）が、前記基板（８２）の前記前面（８５）に接触して配置され得ること
を特徴とする、請求項５に記載の停止要素（１）。
【請求項８】
前記当接部（５）の前記端面（５３）は、前記当接部（５）の前記前面（５１）に平行で、かつ、前記第１端部と前記第２端部との間の前記基部（２）の方向に対して横方向である曲率軸（ｚ）を有する凸状であり、前記間隙（６）の前記底部（６１）は、同じ曲率半径を有する対応する対向形状を有することを特徴とする、請求項１から７のいずれか１つに記載の接続要素（１）。
【請求項９】
前記当接部（５）は、前記接続部（３）の前記遠位端（３１）と前記接続部（３）の前記近位端（３２）との間に延在する少なくとも１つの斜面部（９）を有し、前記少なくとも１つの斜面部（９）は、前記当接部（５）の前記前面（５１）の少なくとも縁部に配置されていることを特徴とする、請求項１から８のいずれか１つに記載の接続要素（１）。
【請求項１０】
２つの部品を機械的に接続するためのメカニカル継手（１０）であって、
前記メカニカル継手（１０）は、第１接続要素（１ａ）と第２接続要素（１ｂ）とを備え、
それぞれの接続要素（１ａ，１ｂ）は、
第１端部（２１）、第２端部（２２）、及び前記第１端部（２１）と前記第２端部（２２）との間に延在する前面（２３）とを有する基部（２）と、
前記基部（２）から突出している接続部（３）と
を備え、
前記接続部（３）は、
前記基部（２）の前記前面（２３）から突出するように配置された突出部（４）と、
前記突出部（４）から前記基部（２）の前記第１端部（２１）の方向へ延在する当接部（５）であって、間隙（６）が前記当接部（５）と前記基部（２）の前記前面（２３）との間に形成され、前記間隙（６）の底部（６１）が前記突出部（４）によって形成されており、前記間隙（６）の領域における前記基部（２）の前記前面（２３）の部分に平行である前面（５１）と、前記基部（２）の前記前面（２３）に面する背面（５２）とを有し、前記前面（５１）と前記背面（５２）との間に前記前面（５１）から前記背面（５２）へと延在する端面（５３）をさらに有する前記当接部（５）と
を備え、
前記メカニカル継手を形成するために、前記第１接続要素（１ａ）の前記当接部（５）は、前記第２接続要素（１ｂ）の前記間隙（６）内に嵌められるように配置され、前記第２接続要素（１ｂ）の前記当接部（５）は、前記第１接続要素（１ａ）の前記間隙（６）内に嵌められるように配置され、前記第１接続要素（１ａ）の前記当接部（５）の前記前面（５１）は、前記第２接続要素（１ｂ）の前記基部（２）の前記前面（２３）に当接されるように配置され、前記第１接続要素（１ａ）の前記当接部（５）の前記背面（５２）は、前記第２接続要素（１ｂ）の前記当接部（５）の前記背面（５２）に当接されるように配置されている
ことを特徴とするメカニカル継手（１０）。
【請求項１１】
前記第１接続要素（１ａ）及び／又は前記第２接続要素（１ｂ）が、停止面を提供する停止要素（８，８０）をさらに備えることを特徴とする、請求項１０に記載のメカニカル継手（１０）。
【請求項１２】
前記停止要素（８，８０）は、前記第１接続要素（１ａ）の前記当接部（５）が前記基部（２）の前記第１端部（２１）と前記第２端部（２２）との間の方向に対して横方向に移動するのを防止するように配置されていること、
又は、前記停止要素（８，８０）は、前記第２接続要素（１ｂ）の前記当接部（５）が前記基部（２）の前記第１端部（２１）と前記第２端部（２２）との間の方向に対して横方向に移動するのを防止するように配置されていること
を特徴とする、請求項１１に記載のメカニカル継手（１０）。
【請求項１３】
前記第１接続要素（１ａ）の前記当接部（５）の前記端面（５３）が、前記間隙（６）の前記底部（６１）を形成する前記第２接続要素（１ｂ）の前記突出部（４）に接触して提供されていることを特徴とする、請求項１０から１２のいずれか１つに記載のメカニカル継手（１０）。
【請求項１４】
前記第１及び第２接続要素（１ａ，１ｂ）は、請求項１から９のいずれかに記載の接続要素（１）に従うことを特徴とする、請求項１０から１３のいずれかに１つに記載のメカニカル継手（１０）。
【請求項１５】
機械的な接続を提供するためのメカニカル継手（１０）における、請求項１から９のいずれかに記載の２つの接続要素（１）の使用。
【発明の詳細な説明】
【技術分野】
【０００１】
本発明は、接続要素に関し、特に独立請求項１の前提部分に記載の接続要素に関する。
【０００２】
本発明は、メカニカル継手にさらに関し、特に独立請求項１０の前提部分に記載のメカニカル継手に関する。
【０００３】
本発明は、独立請求項１５に記載のメカニカル継手における２つの接続要素の使用にさらに関する。
【背景技術】
【０００４】
従来技術では、多くの種類のメカニカル継手が知られている。従来のメカニカル継手の多くは、メカニカル継手を形成するための工具を使用すること、又は、メカニカル継手を分離することが不可能である、若しくは仮に可能であったとしてもメカニカル継手を破壊することなくはできないように、メカニカル継手を形成する部材をくさび留めすることによって継手をロックし、その結果、メカニカル継手は同じ部材を使用して再形成され得ないようなメカニカル継手のいずれかを必要とする。
【発明の開示】
【発明が解決しようとする課題】
【０００５】
本発明の目的は、メカニカル継手のための接続要素と、２つの部品を機械的に連結するためのメカニカル継手とを提供することである。
【課題を解決するための手段】
【０００６】
本発明の目的は、独立請求項に記載されていることを特徴とする接続要素とメカニカル継手とによって達成される。本発明の好ましい実施形態は、従属請求項に開示されている。
【０００７】
本発明は、第１端部、第２端部、及び前記第１端部と前記第２端部との間に延在する前面を有する基部と、前記基部から突出する接続部とを備える、メカニカル継手のための接続要素を提供するという考えに基づく。前記接続部は、前記基部の前記前面から突出するように配置された突出部と、前記突出部から前記第１端の方向へ延在する当接部であって、間隙が前記当接部と前記基部の前記前面との間に形成され、前記間隙の底部が前記突出部によって形成されている前記当接部とを備える。前記当接部は、前記間隙の領域における前記基部の前記前面の部分に平行である前面と、前記基部の前記前面に面する背面とを有する。前記当接部は、前記前面と前記背面との間に前記前面から前記背面へと延在する端面をさらに有する。
【０００８】
本発明は、２つの部品を機械的に接続するためのメカニカル継手を提供するという考えにさらに基づく。前記メカニカル継手は、第１接続要素と第２接続要素とを備え、それぞれの接続要素は、第１端部、第２端部、及び前記第１端部と前記第２端部との間に延在する前面とを有する基部と、前記基部から突出している接続部とを備える。前記接続部は、前記基部の前記前面から突出するように配置された突出部と、前記突出部から前記基部の前記第１端部の方向へ延在する当接部であって、間隙が前記当接部と前記基部の前記前面との間に形成され、前記間隙の底部が前記突出部によって形成されている前記当接部とを備える。前記当接部は、前記間隙の領域における前記基部の前記前面の部分に平行である前面と、前記基部の前記前面に面する背面とを有する。前記当接部は、前記前面と前記背面との間に前記前面から前記背面へと延在する端面をさらに有する。前記メカニカル継手を形成するために、前記第１接続要素の前記当接部は、前記第２接続要素の前記間隙内に嵌められるように配置され、前記第２接続要素の前記当接部は、前記第１接続要素の前記間隙内に嵌められるように配置され、前記第１接続要素の前記当接部の前記前面は、前記第２接続要素の前記基部の前記前面に当接されるように配置され、前記第１接続要素の前記当接部の前記背面は、前記第２接続要素の前記当接部の前記背面に当接されるように配置される。
【０００９】
本出願に開示されている接続要素とメカニカル継手とは、一例として、テーブルレッグとテーブルカバー、ベッドレッグとベッドフレームのような家具の部品を接合する場合に、家具産業に最も有利に適している。言い換えれば、接続要素とメカニカル継手とは、一例として、家具、棚、収納棚、足場又はフレームの部品を連結する場合に有利である。当該接続要素は、前述の部品の例のような、永久的に又は取り外し可能に、２つ以上の部品を接合するのに適している。当該メカニカル継手は、分解されることが意図されていない永久的な接合とすることに適している、又は、接続を外してさらに再接続されるように意図されている解放可能な継手に最も適している。
【００１０】
本発明の利点は、メカニカル継手を形成するために、たった１種類の接続要素しか必要でないことである。言い換えれば、本発明に係るメカニカル継手を形成するために、たった２つの同様の接続要素しか、機械的な接続を形成するのに必要ではない。当該メカニカル継手は、工具を使用することなく形成される。当該メカニカル継手は、接続要素をくさび留めすることなく形成され得るものであり、その結果、メカニカル継手が外されたときに、接続要素が他のメカニカル継手を形成するために再使用される。１つのタイプの接続要素しか必要でないため、メカニカル継手を形成する接続要素の製造は簡単である。
【図面の簡単な説明】
【００１１】
本発明は、開示された図面への言及と共に特定の実施形態によって詳細に説明される。
【図１ａ】本発明に係る接続要素を一側面から示す図。
【図１ｂ】図１ａの接続要素を異なる配置で示す図。
【図１ｃ】図１ｂの接続要素を前面側から見た図。
【図２ａ】本発明に係る２つの接続要素を示す図。
【図２ｂ】本発明に係るメカニカル継手を示す図。
【図３ａ】本発明に係る接続要素の一実施形態を一側面から示す図。
【図３ｂ】図３ａの接続要素を前面から見た図。
【図４ａ】本発明に係る接続要素の他の実施形態を一側面から示す図。
【図４ｂ】図４ａの接続要素を前面から見た図。
【図５ａ】本発明に係る停止要素を一側面から見た図。
【図５ｂ】図５ａの停止要素を前面から見た図。
【図６ａ】接続要素と停止要素とを側面から見た図。
【図６ｂ】図６ａの接続要素と停止要素とを前面から見た図。
【図７ａ】本発明に係る接続要素を一側面から示す図。
【図７ｂ】図７ａの接続要素を正面側から見た図。
【発明を実施するための形態】
【００１２】
図１ａ及び１ｂは、本発明に係る接続要素１を示す。図１ａ及び１ｂは、接続要素の同じ側面から見た同じ接続要素１であるが、異なる配置であることを示す。接続要素１は、第１端部２１、第２端部２２、及び第１端部２１と第２端部２２との間に延在する前面２３を有する基部２を備える。基部２は、第１端部２１と第２端部２２との間に延びる長さと、基部２の長手方向に対して横方向に延びる幅とを有する長手の部分である。基部２は、第１端部２１と第２端部２２との間に前面２３と反対の位置に延在する背面２４と、前面２３と背面２４との間で第１端部２１と第２端部２２との間に延在する第１及び第２側面２５，２６とを有する。基部２は、前面２３と背面２４との間の距離によって定義される厚みを有する。
【００１３】
接続要素は、基部２から突出する接続部３をさらに備え、接続部３は、基部２の前面２３から突出するように配置された突出部４と、突出部４から基部２の第１端部２１の方向へ延在する当接部５であって、間隙６が当接部５と基部２の前面２３との間に形成され、間隙６の底部６１が突出部４によって形成されている当接部５とを備える。突出部４と当接部５とは、一体的な接続部３を形成するように、一体的である。
【００１４】
当接部５は、間隙６の領域において基部２の前面２３の部分に平行な前面５１と、基部２の前面２３に対向する背面５２とを有する。当接部５は、前面５１と背面５２との間に、前面５１から背面５２に向かって延在する端面５３をさらに有する。
【００１５】
図１ｃは、前面から見た接続要素を示す。接続部３は、遠位端３１と近位端３２とを有し、遠位端３１は基部２の第１端部２１に向いており、近位端３２は基部２の第２端部２２に向いている。当接部５の端面５３は、接続部３の遠位端３１を形成する。本発明のこの実施形態では、当接部５の前面５１は、接続部３の遠位端３１から接続部３の近位端３２まで延在する。本発明の他の実施形態では、突出部４は、前面５１が接続部３の近位端３２まで延在しなくてもよいような異なる形状を有してもよい。接続部３は、近位端３２と遠位端３１との間に延びる長さｂを有する。接続要素１は、接続部３の遠位端３１と基部２の第１端部２１との間に自由部分（free portion）を有する。言い換えると、自由部分は、基部２の第１端部２１と接続部３の遠位端３１との間にある接続要素１の部分である。自由部分は、近位端３２と遠位端３１との間の接続部３の長さｂよりも長い、長さａを有する。
【００１６】
好ましくは、接続要素１は、接続要素１を対象物に接続するための開口部７を、基部２の端部にさらに備える。
【００１７】
当接部５の背面５２と基部２の前面２３との間の距離は、間隙６の底部６１に向かって同一である又は減少するように配置されている。言い換えれば、間隙６は、間隙６の底部６１に向かって均一又はテーパ状であり、このことは、基部２の長手方向に対して横方向で、当接部５の前面５１に対して横方向の間隙６の幅、すなわち当接部５の背面５２と基部２の前面２３との間の距離によって定義される幅は、等しい又は減少し、その結果、間隙６は底部６１に向かって同一又はテーパ状であるということを意味する。
【００１８】
当接部５の端面５３は第１形状を有し、間隙６の底部６１は、第１形状と対応する対向形状（compatible counter form）である第２形状を有する。図１ｂ及び１ｃは、当接部５の端面５３のための曲率軸（curvature axis）である軸ｚを示す本発明の好ましい実施形態を示す。当接部５の端面５３は、当接部５の前面５１に平行で、第１端部と第２端部との間の基部２の方向に対して横方向である曲率軸ｚを有する凸状であり、間隙６の底部６１は、同じ曲率半径（radius of curvature）を有する対応する対向形状を有する。当接部５の端面５３の凸形状は、図に示すように、曲面状のすなわち丸みを帯びた外へ向かう面である。当接部５の端面５３は、凸形状以外の代替の形状を有していてもよいが、本発明に係るメカニカル継手１０には、凸形状が最も有利な形状である。例えば、当接部５の端面５３は、平坦面又はテーパ面であってもよい。
【００１９】
本発明の好ましい実施形態では、突出部４によって形成される間隙６の底部６１と延在する当接部５の端面５３との間に延在する当接部５の部分は、当接部５の背面５２と、当接部５の背面５２に対向する領域における基部２の前面２３との間に形成される間隙６と対応する対向形状を有する。言い換えると、間隙６は、同様の接続要素の間隙６に提供されることになる当接部５の部分と同じ形状を有する。さらに言い換えると、結合している２つの接続要素があるとき、第２接続要素の間隙６に提供されている第１接続要素の当接部５は間隙６に密に嵌合しており、このことは、当接部と間隙とは互いに対応する同様の形状を有することを意味する。
【００２０】
図２ａは、本発明に係る２つの接続要素を示し、ここでは、接続要素１は、図１ａ〜１ｃに示されているものと同様であり、従って、明瞭性のために、図１ａ〜１ｃに関連して示されている全ての参照番号は、図２ａ及び２ｂには示されていない。図２ａは、図１ａ〜１ｃに示されている接続要素１と同様である第１接続要素１ａと第２接続要素１ｂを示す。第１接続要素１ａは、第２接続要素１ｂに対して上下逆である。図２ａから分かるように、長さａを有する自由部分は、近位端３２と遠位端３１との間の接続部３の長さｂよりも長い。
【００２１】
図２ｂは、２つの同様の接続要素１が互いに接触して配置されている、本発明に係るメカニカル継手１０を示す。第１接続要素１ａの接続部３は、第１接続要素１ａの当接部５の前面５１が第２接続要素１ｂの基部２の前面２３に接触し、第１接続要素１ａの当接部５の背面５２が第２接続要素１ｂの当接部５の背面５２に接触するように、第２接続要素１ｂの間隙６に提供されている。第１接続要素１ａの当接部５の端面５３は、第２接続要素１ｂの間隙６の底部６１に接して配置されている。さらに、第２接続要素５の当接部５の前面５１は、第１接続要素５の基部２の前面２３に接して提供されている。
【００２２】
図３ａ及び３ｂは、本発明に係る接続要素の一実施形態を示し、接続要素１は、停止面を提供する停止要素８をさらに備える。停止面は、基部２の前面２３に対して横方向に延在するように、基部２の前面２３の外側に配置されている。本発明のこの実施形態では、停止要素８は、一体的な停止要素８として接続要素１に配置され、当該一体的な停止要素８は、第１及び第２側面２５，２６の少なくとも１つに設けられている。図３ｂは、本発明のこの実施形態では、停止要素８は、基部２の第１及び第２側面２５，２６の両方に設けられていることを示す。停止要素８は、停止要素８の内側に提供されている停止面８１が当接部５と基部２の前面２３との間に形成される間隙６１に面し、停止面８１が基部２の前面２３から当接部５に向かって延在するように、基部２に設けられている。言い換えると、停止面８１は、基部２の側面から間隙６１を少なくとも部分的に塞ぐ。停止面８１は、他の接続要素と共にメカニカル継手を形成する接続要素が間隙６から外れるのを防止するように配置されている。
【００２３】
本発明の好ましい実施形態では、接続要素１の基部２は、第１端部２１と第２端部２２との間で実質的に同じ幅を有する形状、又は、丸みを帯びた第１端部２１及び第２端部２２を除いて、第１端部２１と第２端部２２との間で実質的に同じ幅を有する形状を有する。好ましくは、接続部３及び特に当接部５は、基部２と同じ幅を有する。基部２の幅は、基部２の第１及び第２側面２５，２６との間に延びる寸法である。
【００２４】
図４ａ及び４ｂは、本発明に係る接続要素の他の実施形態を示し、接続要素１は、停止面を提供する停止要素８をさらに備える。停止面は、基部２の前面２３に対して横方向に延在するように、基部２の前面２３の外側に配置される。本発明のこの実施形態では、停止要素８は一体的な停止要素８として接続要素１に配置され、一体的な停止要素８は基部２の第１端部２１及び／又は基部２の第２端部２２に設けられている。図４ａ及び４ｂは、本発明のこの実施形態では、停止要素８が基部２の第１及び第２端部２１，２２の両方に設けられていることを示す。停止要素８は、停止要素８の内側に設けられている停止面８１が接続部３に面するように、すなわち、基部２の第１端部２１に設けられている停止要素８が接続部３の遠位端３１に面する停止面８１を有し、基部２の第２端部２２に設けられている停止要素８が接続部３の近位端３２に面する停止面８１を有するように、基部２の端部に設けられている。停止面８１は、停止面８１が基部２の前面２３に対して横方向であるように、接続部３と同じ方向で、基部２の前面２３から離れる方向に延在するように配置されている。停止面８１は、基部２の前面２３の外側に配置されている。言い換えると、停止要素８は、基部２の端部２１，２２から突出するように配置されている。
【００２５】
図５ａ及び５ｂは、本発明に係る停止要素を示し、接続要素１は停止面を提供する停止要素８，８０を備え、当該停止面は、基部２の前面２３に対して横方向に延在するように、基部２の前面２３の外側に配置されている。本発明のこの実施形態では、停止要素８０は、別体の停止要素８０として提供されている。別体の停止要素８０は基板８２を備え、当該基板８２は、第１端部８３、第２端部８４、当該第１端部８３と当該第２端部８４との間に延在する前面８５、及び基板８２から突出している少なくとも１つの側壁８６を有する。基板８２の前面８５から離れる方向に延在する少なくとも１つの側壁８６は、前面２３から側壁８６の頂部までの距離によって定義される高さｃを有し、その高さｃは、前面２３と背面２４との間の距離によって定義される基部２の高さｄよりも高い。基部２の背面２４は、少なくとも１つの側壁８６が停止面８１を提供するために配置されるように、基板８２の前面８５に接触して配置され得る。これらは、図６ａ及び６ｂでより詳細に示される。
【００２６】
図６ａ及び６ｂは、互いに接している接続要素と別体の停止要素８０とを示している。本実施形態では、接続要素１は、基部２の背面２４が別体の停止要素８０の基板８２の前面８５に接触するように、別体の停止要素８０に接して提供されている。
【００２７】
本発明の好ましい実施形態では、停止要素８０は、第１端部８３と第２端部８４との間で実質的に同じ幅を有する形状、又は、丸みを帯びた第１端部８３及び第２端部８４を除いて、第１端部８３と第２端部８４との間で実質的に同じ幅を有する形状を有する。
【００２８】
図３ａ〜６ｂすべてにおいて、停止要素８，８０は、第１接続要素１ａの当接部５が基部２の第１端部２１と第２端部２２との間の方向に対して横方向に動くのを防止するように配置されている、又は、停止要素８，８０は、第２接続要素１ｂの当接部５が基部２の第１端部２１と第２端部２２との間の方向に対して横方向に動くのを防止するように配置されている。
【００２９】
言い換えれば、第１接続要素１ａ及び/又は第２接続要素１ｂは、第１接続要素１ａと第２接続要素１ｂとで形成されるメカニカル継手１０における移動を防止するための停止面を提供する停止要素８，８０をさらに備えてもよい。
【００３０】
メカニカル継手１０において、第１接続要素１ａの当接部５の端面５３は、間隙６の底部６１を形成する第２接続要素１ｂの突出部４に接触して提供されている。
【００３１】
複数の図に見られるように、好ましくは、接続部３は、基部２と実質的に同じ幅を有する。あるいは、又は加えて、当接部５は、基部２と実質的に同じ幅を有する。
【００３２】
図７ａ及び７ｂは本発明の一実施形態を示し、当接部５は、接続部３の遠位端３１と接続部３の近位端３２との間に延在する少なくとも１つの斜面部９を有し、当該少なくとも１つの斜面部９は当接部５の前面５１の縁部に配置されている。図７ａ及び７ｂでは、２つの斜面部９が、当接部５の前面５１の両側の縁部にある。
【００３３】
メカニカル継手１０は、先に開示された接続要素１ａ，１ｂから形成されることができ、先に説明された接続要素１ａ，１ｂは、機械的な接続を提供するためにメカニカル継手１０で使用され得る。
【００３４】
本発明は、図面に示された例に関して上記の通り説明された。しかし、本発明は、上記の例に決して限定されるものではなく、特許請求の範囲内で変わってもよい。
【図１ａ】
2021507194.tif 000003
【図１ｂ】
2021507194.tif 000004
【図１ｃ】
2021507194.tif 000005
【図２ａ】
2021507194.tif 000006
【図２ｂ】
2021507194.tif 000007
【図３ａ】
2021507194.tif 000008
【図３ｂ】
2021507194.tif 000009
【図４ａ】
2021507194.tif 000010
【図４ｂ】
2021507194.tif 000011
【図５ａ】
2021507194.tif 000012
【図５ｂ】
2021507194.tif 000013
【図６ａ】
2021507194.tif 000014
【図６ｂ】
2021507194.tif 000015
【図７ａ】
2021507194.tif 000016
【図７ｂ】
2021507194.tif 000017
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
第１端部（２１）、第２端部（２２）、及び前記第１端部（２１）と前記第２端部（２２）との間に延在する前面（２３）を有する基部（２）と、
前記基部（２）から突出する接続部（３）と
を備える、メカニカル継手（１０）のための接続要素（１）であって、
前記接続部（３）は、
前記基部（２）の前記前面（２３）から突出するように配置された突出部（４）と、
前記突出部（４）から前記基部（２）の前記第１端部（２１）の方向へ延在する当接部（５）であって、間隙（６）が前記当接部（５）と前記基部（２）の前記前面（２３）との間に形成され、前記間隙（６）の底部（６１）が前記突出部（４）によって形成されており、前記間隙（６）の領域における前記基部（２）の前記前面（２３）の部分に平行である前面（５１）と、前記基部（２）の前記前面（２３）に面する背面（５２）とを有し、前記当接部（５）の前記背面（５２）と前記基部（２）の前記前面（２３）との間の距離は、前記間隙（６）の前記底部（６１）に向かって減少しており、前記前面（５１）と前記背面（５２）との間に前記前面（５１）から前記背面（５２）へと延在する端面（５３）をさらに有する前記当接部（５）と
を備えることを特徴とする接続要素（１）。
【請求項２】
前記当接部（５）の前記端面（５３）は第１形状を有し、前記間隙（６）の前記底部（６１）は前記第１形状に対応する対向形状である第２形状を有することを特徴とする、請求項１に記載の接続要素（１）。
【請求項３】
前記接続部（３）は遠位端（３１）と近位端（３２）とを有し、前記遠位端（３１）は前記基部（２）の前記第１端部（２１）の方に向いており、前記近位端（３２）は前記基部（２）の前記第２端部（２２）の方に向いており、前記当接部（５）の前記端面（５３）は前記接続部（３）の前記遠位端（３１）を形成し、
前記接続要素（１）は、前記接続部（３）の前記遠位端（３１）と前記基部（２）の前記第１端部（２１）との間に自由部分を有し、前記自由部分は、前記近位端（３２）と前記遠位端（３１）との間の接続部（３）の長さ（ｂ）よりも長い長さ（ａ）を有する
ことを特徴とする、請求項１から２のいずれか１つに記載の接続要素（１）。
【請求項４】
前記基部（２）は、前記第１端部（２１）と前記第２端部（２２）との間に前記前面（２３）と反対の位置に延在する背面（２４）、及び前記前面（２３）と前記背面（２４）との間で前記第１端（２１）と前記第２端（２２）との間に延在する第１及び第２側面（２５，２６）を有し、前記接続要素（１）は、停止面を提供する停止要素（８，８０）をさらに備え、前記停止面は前記基部（２）の前記前面（２３）に対して横方向に延在するように、前記基部（２）の前記前面（２３）の外側に配置されていることを特徴とする、請求項１から３のいずれか１つに記載の接続要素（１）。
【請求項５】
前記停止要素（８，８０）は、一体的な停止要素（８）として前記接続要素（１）に配置され、前記一体的な停止要素（８）は、少なくとも１つの前記第１及び第２側面（２５，２６）に設けられている、
又は、前記停止要素（８，８０）は、一体的な停止要素（８）として前記接続要素（１）に配置され、前記一体的な停止要素（８）は、前記基部（２）の前記第１端部（２１）及び／又は前記基部（２）の前記第２端部（２２）に設けられている
ことを特徴とする、請求項４に記載の接続要素（１）。
【請求項６】
前記停止要素（８０）が別体の停止要素（８０）として設けられており、
前記別体の停止要素（８０）は、
第１端部（８３）、第２端部（８４）、及び前記第１端部（８３）と前記第２端部（８４）との間に延在する前面（８５）を有する基板（８２）と、
前記基板（８２）から突出し、前記基板（８２）の前記前面（８５）から離れる方向に延在し、前記前面（２３）と前記背面（２４）との間の前記基部（２）の高さ（ｄ）より高い高さ（ｃ）を有する少なくとも１つの側壁（８６）と
を備え、
前記少なくとも１つの側壁（８６）が前記停止面（８１）を提供するために配置されるように、前記基部（２）の前記背面（２４）が、前記基板（８２）の前記前面（８５）に接触して配置され得ること
を特徴とする、請求項４に記載の停止要素（１）。
【請求項７】
前記当接部（５）の前記端面（５３）は、前記当接部（５）の前記前面（５１）に平行で、かつ、前記第１端部と前記第２端部との間の前記基部（２）の方向に対して横方向である曲率軸（ｚ）を有する凸状であり、前記間隙（６）の前記底部（６１）は、同じ曲率半径を有する対応する対向形状を有することを特徴とする、請求項１から６のいずれか１つに記載の接続要素（１）。
【請求項８】
前記当接部（５）は、前記接続部（３）の前記遠位端（３１）と前記接続部（３）の前記近位端（３２）との間に延在する少なくとも１つの斜面部（９）を有し、前記少なくとも１つの斜面部（９）は、前記当接部（５）の前記前面（５１）の少なくとも縁部に配置されていることを特徴とする、請求項１から７のいずれか１つに記載の接続要素（１）。
【請求項９】
第１接続要素（１ａ）と第２接続要素（１ｂ）とを備え、
それぞれの接続要素（１ａ，１ｂ）は、
第１端部（２１）、第２端部（２２）、及び前記第１端部（２１）と前記第２端部（２２）との間に延在する前面（２３）とを有する基部（２）と、
前記基部（２）から突出している接続部（３）と
を備える、２つの部品を機械的に接続するためのメカニカル継手（１０）であって、
前記接続部（３）は、
前記基部（２）の前記前面（２３）から突出するように配置された突出部（４）と、
前記突出部（４）から前記基部（２）の前記第１端部（２１）の方向へ延在する当接部（５）であって、間隙（６）が前記当接部（５）と前記基部（２）の前記前面（２３）との間に形成され、前記間隙（６）の底部（６１）が前記突出部（４）によって形成されており、前記間隙（６）の領域における前記基部（２）の前記前面（２３）の部分に平行である前面（５１）と、前記基部（２）の前記前面（２３）に面する背面（５２）とを有し、前記当接部（５）の前記背面（５２）と前記基部（２）の前記前面（２３）との間の距離は、前記間隙（６）の前記底部（６１）に向かって減少しており、前記前面（５１）と前記背面（５２）との間に前記前面（５１）から前記背面（５２）へと延在する端面（５３）をさらに有する前記当接部（５）と
を備え、
前記メカニカル継手を形成するために、前記第１接続要素（１ａ）の前記当接部（５）は、前記第２接続要素（１ｂ）の前記間隙（６）内に嵌められるように配置され、前記第２接続要素（１ｂ）の前記当接部（５）は、前記第１接続要素（１ａ）の前記間隙（６）内に嵌められるように配置され、前記第１接続要素（１ａ）の前記当接部（５）の前記前面（５１）は、前記第２接続要素（１ｂ）の前記基部（２）の前記前面（２３）に当接されるように配置され、前記第１接続要素（１ａ）の前記当接部（５）の前記背面（５２）は、前記第２接続要素（１ｂ）の前記当接部（５）の前記背面（５２）に当接されるように配置されている
ことを特徴とするメカニカル継手（１０）。
【請求項１０】
前記第１接続要素（１ａ）及び／又は前記第２接続要素（１ｂ）が、停止面を提供する停止要素（８，８０）をさらに備えることを特徴とする、請求項９に記載のメカニカル継手（１０）。
【請求項１１】
前記停止要素（８，８０）は、前記第１接続要素（１ａ）の前記当接部（５）が前記基部（２）の前記第１端部（２１）と前記第２端部（２２）との間の方向に対して横方向に移動するのを防止するように配置されていること、
又は、前記停止要素（８，８０）は、前記第２接続要素（１ｂ）の前記当接部（５）が前記基部（２）の前記第１端部（２１）と前記第２端部（２２）との間の方向に対して横方向に移動するのを防止するように配置されていること
を特徴とする、請求項１０に記載のメカニカル継手（１０）。
【請求項１２】
前記第１接続要素（１ａ）の前記当接部（５）の前記端面（５３）が、前記間隙（６）の前記底部（６１）を形成する前記第２接続要素（１ｂ）の前記突出部（４）に接触して提供されていることを特徴とする、請求項９から１１のいずれか１つに記載のメカニカル継手（１０）。
【請求項１３】
前記第１及び第２接続要素（１ａ，１ｂ）は、請求項１から８のいずれかに記載の接続要素（１）に従うことを特徴とする、請求項９から１２のいずれかに１つに記載のメカニカル継手（１０）。
【請求項１４】
機械的な接続を提供するためのメカニカル継手（１０）における、請求項１から８のいずれかに記載の２つの接続要素（１）の使用。
【手続補正２】
【補正対象書類名】明細書
【補正対象項目名】０００２
【補正方法】変更
【補正の内容】
【０００２】
本発明は、メカニカル継手にさらに関し、特に独立請求項９の前提部分に記載のメカニカル継手に関する。
【手続補正３】
【補正対象書類名】明細書
【補正対象項目名】０００３
【補正方法】変更
【補正の内容】
【０００３】
本発明は、独立請求項１４に記載のメカニカル継手における２つの接続要素の使用にさらに関する。
【国際調査報告】
2021507194.tif 000018
2021507194.tif 000019
2021507194.tif 000020